(57)【特許請求の範囲】
【請求項１】
衛星放送と該衛星放送以外の放送とからなる多チャンネルの放送を受信可能な放送受信装置であって、
受信した多チャンネル放送をチャンネル毎に分割する受信手段と、
チャンネル毎に分割した放送に係る映像・音声信号を所定の圧縮形式で符号化し、又は受信した放送毎に異なる圧縮形式で圧縮された映像・音声信号を前記所定の圧縮形式へ置換して、入力された放送に係る映像・音声信号を前記所定の圧縮形式に準拠した映像・音声信号に揃えるようにエンコードするエンコード手段と、
該エンコード手段でエンコードされた映像・音声信号からなる放送が、出力される際に混信しないようにそれぞれチャンネル毎に所定の変調形式にしたがって変調する変調手段と、
該変調手段で変調され、チャンネル毎に出力可能に変調された放送を所定の出力形式にしたがって端末へ出力し、又は外部記録媒体へ記録保存するために出力する出力手段とを有する放送受信装置において、
前記受信手段は、前記衛星放送による番組と同一内容の番組を前記衛星放送以外の放送によって同時に受信し、
前記エンコード手段の出力側と前記変調手段の入力側との間に、切替手段を設け、
該切替手段は、
前記衛星放送に係る映像・音声信号が伝送し、該映像・音声信号を所定の圧縮形式で処理した主放送が形成される主回路と、
前記衛星放送以外の放送に係る映像・音声信号が伝送し、該映像・音声信号を所定の圧縮形式で処理した従放送が形成される従回路とを、
所定の条件にしたがって可及的速やかに切り替え、
前記主回路と前記従回路に、
前記主回路若しくは前記従回路に混入したノイズを検知する検知手段と、
該ノイズを順次記録して、記録結果を形成する記録手段と、
該記録結果に記録された前記ノイズの増減に基づいて、前記ノイズが所定の閾値を超える時刻を予測して予測結果を形成する予測手段と、
前記検知手段で実測した前記主回路のノイズが所定の閾値を超えたか否かを判定して、前記切替手段に対して切替信号を出力すると共に、
前記予測結果で予測した時刻に至ったとき、前記検知手段で実測した前記主回路のノイズが所定の閾値を超える場合に備え、前記切替手段を速やかに作動させるために該切替手段へプレ切替信号を出力する判定手段とを設けて、
前記主回路にノイズが混入して、前記主回路を伝送する映像・音声信号からなる番組に受信障害が発生した場合に、
前記判定手段が出力した前記切替信号又は前記プレ切替信号に基づいて、
前記切替手段は、前記検知手段で実測した前記主回路のノイズが所定の閾値を超えたとき、又は、前記予測時刻に至ったときに、
前記従回路を伝送する映像・音声信号からなる番組へ可及的速やかに切り替えるようにしたことを特徴とする放送受信装置。
【請求項２】
前記主回路の入力端側に少なくとも一つの主入力端子を設け、
前記従回路の入力端側に少なくとも一つ、好ましくは２個以上の従入力端子を設け、
前記主回路に混入したノイズが前記閾値を超えていないときには、前記切替手段を前記主回路へ接続するようにして、
前記主入力端子へ入力された前記衛星放送に係る映像・音声信号が、前記従入力端子に入力された前記衛星放送以外の放送に係る映像・音声信号と比べて、優先的に出力されるようにしたことを特徴とする請求項１に記載の放送受信装置。
【請求項３】
前記切替手段と前記外部記録媒体との間に緊急避難回路を設け、
前記判定手段で、前記主回路及び前記従回路へ混入したノイズが何れも所定の閾値を超えていると判定され、
前記主回路及び前記従回路を伝送する映像・音声信号からなる番組が受信障害によって共に視聴不可能となったとき、
前記切替手段で、前記主回路又は前記従回路から、前記緊急避難回路へ可及的速やかに切り替えて、
前記外部記録媒体に記録保存した前記番組を前記出力手段から出力するようにしたことを特徴とする請求項１若しくは請求項２に記載の放送受信装置。
【請求項４】
衛星放送と該衛星放送以外の放送とからなる多チャンネルの放送を送信する設備を有する少なくとも一つの送信局と、
前記多チャンネルの放送を受信する設備を有する少なくとも一つ、好ましくは二以上の受信局と、
前記衛星放送を中継する通信衛星とからなり、
前記送信局から送信した前記衛星放送を前記通信衛星で中継して、前記受信局が同一の内容を同時に受信する放送システムであって、
前記受信局は、前記放送を受信する放送受信装置と、該放送受信装置から出力された番組を視聴可能なモニタを有する複数台の端末とからなり、
前記放送受信装置は、
衛星放送と該衛星放送以外の放送とからなる多チャンネルの放送を受信可能な放送受信装置であって、
受信した多チャンネル放送をチャンネル毎に分割する受信手段と、
チャンネル毎に分割した放送に係る映像・音声信号を所定の圧縮形式で符号化し、又は受信した放送毎に異なる圧縮形式で圧縮された映像・音声信号を前記所定の圧縮形式へ置換して、入力された放送に係る映像・音声信号を前記所定の圧縮形式に準拠した映像・音声信号に揃えるようにエンコードするエンコード手段と、
該エンコード手段でエンコードされた映像・音声信号からなる放送が、出力される際に混信しないようにそれぞれチャンネル毎に所定の変調形式にしたがって変調する変調手段と、
該変調手段で変調され、チャンネル毎に出力可能に変調された放送を所定の出力形式にしたがって端末へ出力し、又は外部記録媒体へ記録保存するために出力する出力手段とを有する放送受信装置において、
前記受信手段は、前記衛星放送による番組と同一内容の番組を前記衛星放送以外の放送によって同時に受信し、
前記エンコード手段の出力側と前記変調手段の入力側との間に、切替手段を設け、
該切替手段は、
前記衛星放送に係る映像・音声信号が伝送し、該映像・音声信号を所定の圧縮形式で処理した主放送が形成される主回路と、
前記衛星放送以外の放送に係る映像・音声信号が伝送し、該映像・音声信号を所定の圧縮形式で処理した従放送が形成される従回路とを、
所定の条件にしたがって可及的速やかに切り替え、
前記主回路と前記従回路に、
前記主回路若しくは前記従回路に混入したノイズを検知する検知手段と、
該ノイズを順次記録して、記録結果を形成する記録手段と、
該記録結果に記録された前記ノイズの増減に基づいて、前記ノイズが所定の閾値を超える時刻を予測して予測結果を形成する予測手段と、
前記検知手段で実測した前記主回路のノイズが所定の閾値を超えたか否かを判定して、前記切替手段に対して切替信号を出力すると共に、
前記予測結果で予測した時刻に至ったとき、前記検知手段で実測した前記主回路のノイズが所定の閾値を超える場合に備え、前記切替手段を速やかに作動させるために該切替手段へプレ切替信号を出力する判定手段とを設けて、
前記主回路にノイズが混入して、前記主回路を伝送する映像・音声信号からなる番組に受信障害が発生した場合に、
前記判定手段が出力した前記切替信号又は前記プレ切替信号に基づいて、
前記切替手段は、前記検知手段で実測した前記主回路のノイズが所定の閾値を超えたとき、又は、前記予測時刻に至ったときに、
前記従回路を伝送する映像・音声信号からなる番組へ可及的速やかに切り替えるように構成して、
前記衛星放送で受信した前記番組が受信障害によって前記モニタで視聴不可能となった場合であっても、前記衛星放送以外の放送で受信した前記番組を前記端末へ出力して、
前記モニタでノイズの無い前記番組を連続して視聴できるようにしたことを特徴とする放送システム。
【請求項５】
前記放送受信装置の前記主回路の入力端側に少なくとも一つの主入力端子を設け、
前記従回路の入力端側に少なくとも一つ、好ましくは２個以上の従入力端子を設け、
前記主回路に混入したノイズが前記閾値を超えていないときには、前記切替手段を前記主回路へ接続するようにして、
前記主入力端子へ入力された前記衛星放送に係る映像・音声信号が、前記従入力端子に入力された前記衛星放送以外の放送に係る映像・音声信号と比べて、優先的に出力されるようにしたことを特徴とする請求項４に記載の放送システム。
【請求項６】
前記放送受信装置の前記切替手段と前記外部記録媒体との間に緊急避難回路を設け、
前記判定手段で、前記主回路及び前記従回路へ混入したノイズが何れも所定の閾値を超えていると判定され、
前記主回路及び前記従回路を伝送する映像・音声信号からなる番組が受信障害によって共に視聴不可能となったとき、
前記切替手段で、前記主回路又は前記従回路から、前記緊急避難回路へ可及的速やかに切り替えて、
前記外部記録媒体に記録保存した前記番組を前記出力手段から出力するようにしたことを特徴とする請求項４若しくは請求項５に記載の放送システム。
【請求項７】
前記送信局と前記各受信局とからなる広域通信網を設け、
該広域通信網上を、前記衛星放送以外の放送に係る映像・音声信号が前記送信局から前記受信局に対して伝送し、
前記衛星放送以外の放送に係る映像・音声信号を受信した前記放送受信装置は、略同時に前記衛星放送以外の放送に係る映像・音声信号を出力して、
前記衛星放送以外の放送に係る映像・音声信号からなる番組が、前記端末で可及的に再生されるようにしたことを特徴とする請求項４乃至請求項６のいずれかに記載の放送システム。
【請求項８】
前記送信局及び前記各受信局は、固有の識別コードを有し、
前記各受信局のうち、前記受信障害が発生した地域に配されている一の前記受信局が、前記識別コードを埋め込んだ配信要求を、前記送信局或いは前記受信障害が発生した地域以外の地域に配されている他の前記受信局へ送信したとき、
前記配信要求を受信した、前記送信局或いは他の前記受信局は、配信要求を送信した一の前記受信局を特定して、前記衛星放送以外の放送に係る映像・音声信号からなる番組を送信し、
該衛星放送以外の放送に係る映像・音声信号からなる番組を受信した一の前記受信局が有する前記放送受信装置は、略同時に前記衛星放送以外の放送に係る映像・音声信号を出力して、
前記衛星放送以外の放送に係る映像・音声信号からなる番組が、前記端末で可及的に再生されるようにしたことを特徴とする請求項４乃至請求項７のいずれかに記載の放送システム。
【請求項９】
前記識別コードを、所定の形式で暗号化された非公開識別コードとして、
該非公開識別コードを埋め込んだ配信要求を送信した前記一の受信局に対して、前記送信局或いは前記他の受信局が前記衛星放送以外の放送に係る映像・音声信号からなる番組を返信するとき、
前記送信局又は他の前記受信局は、該衛星放送以外の放送に係る映像・音声信号からなる番組を暗号化して送信し、
暗号化された前記衛星放送以外の放送に係る映像・音声信号からなる番組を受信した一の前記受信局が有する前記放送受信装置は、前記エンコード手段で当該番組をエンコードするとき、同時に当該番組の暗号を解読すると共に、略同時に前記衛星放送以外の放送に係る映像・音声信号を出力して、
暗号化された前記衛星放送以外の放送に係る映像・音声信号からなる番組が、前記端末で可及的に再生されるようにしたようにしたことを特徴とする請求項８のいずれかに記載の放送システム。
【請求項１０】
前記送信局と前記各受信局とを地上波デジタルテレビ回線で接続し、
該地上波デジタルテレビ回線上を、前記衛星放送以外の放送に係る映像・音声信号が前記送信局から前記受信局に対して伝送し、
前記衛星放送以外の放送に係る映像・音声信号を受信した前記放送受信装置は、略同時に前記衛星放送以外の放送に係る映像・音声信号を出力して、
前記衛星放送以外の放送に係る映像・音声信号からなる番組が、前記端末で可及的に再生されるようにしたことを特徴とする請求項４に記載の放送システム。
【発明の詳細な説明】
【技術分野】
【０００１】
本発明は、衛星放送と該衛星放送以外の放送とからなる多チャンネルの放送を受信可能な放送受信装置と、該放送受信装置を備えた受信局、及び衛星放送と該衛星放送以外の放送とからなる多チャンネルの放送を送信可能な送信局からなる放送システムに関する。
【背景技術】
【０００２】
衛星電気通信回線に使用されている極超短波帯域の電波は、雷や雨によって受信障害が発生しやすい。そのため、衛星放送は、夕立等の時間帯や、台風、雷雨等が続く時間帯には、視聴することが困難となっていた。例えば、特開２００８−２３６２３６号公報に記載されている放送受信装置は、受信感度が低下した場合に、現在受信している放送局と同系列に属する他の放送局が放送している類似番組を受信するようにし、また、電子番組表を用いて同一番組の再放送を予約するようにしている。これによって、受信障害によって視聴することが困難であった番組が視聴可能とされている。
【先行技術文献】
【特許文献】
【０００３】
【特許文献１】特開２００８−２３６２３６号公報
【発明の概要】
【発明が解決しようとする課題】
【０００４】
しかしながら、衛星放送に用いられる通信衛星は通常、日本全域を一基でカバーしており、全国で同一内容を同時に放送している。そのため、地上波テレビ放送のように複数の放送局からなる系列局ネットワークが無いので、上記の放送受信装置のように、受信障害が発生している番組を系列他局が放送している番組で代替することができない。また、放送されている番組がその途中で受信障害によって中断された場合、再放送される番組を改めて視聴するよりも、放送されている番組の中断に気付くことなく連続して視聴可能とすることが好ましい。
【０００５】
したがって、本発明が解決しようとする課題は、第一に衛星による放送手段で伝送された番組に受信障害が発生したとき、瞬時に、かつ自動的に他の放送手段へ切替可能にして、放送されている番組を連続して視聴できるようにした放送受信装置を提供することを目的とする。
また第二に、該放送受信装置を有する複数の受信局と単一の番組を複数の放送手段で受信局へ伝送する少なくとも一つの送信局とからなる放送システムを構成して、衛星による放送手段で伝送された番組に発生した受信障害の影響下にある一の受信局に対し、送信局、又は受信障害の影響下にない他の受信局から、受信障害が無い同一内容の他の番組を別途送信又は回送させて、該他の番組と一の受信局で放映される番組とを瞬時に差替えて、該一の受信局であたかも受信障害が発生していないように見せかけるようにした放送システムを提供することを目的とする。
【課題を解決するための手段】
【０００６】
請求項１に記載の放送受信装置は、衛星放送と該衛星放送以外の放送とからなる多チャンネルの放送を受信可能な放送受信装置であって、
受信した多チャンネル放送をチャンネル毎に分割する受信手段と、
チャンネル毎に分割した放送に係る映像・音声信号を所定の圧縮形式で符号化し、又は受信した放送毎に異なる圧縮形式で圧縮された映像・音声信号を前記所定の圧縮形式へ置換して、入力された放送に係る映像・音声信号を前記所定の圧縮形式に準拠した映像・音声信号に揃えるようにエンコードするエンコード手段と、
該エンコード手段でエンコードされた映像・音声信号からなる放送が、出力される際に混信しないようにそれぞれチャンネル毎に所定の変調形式にしたがって変調する変調手段と、
該変調手段で変調され、チャンネル毎に出力可能に変調された放送を所定の出力形式にしたがって端末へ出力し、又は外部記録媒体へ記録保存するために出力する出力手段とを有する放送受信装置において、
前記受信手段は、前記衛星放送による番組と同一内容の番組を前記衛星放送以外の放送によって同時に受信し、
前記エンコード手段の出力側と前記変調手段の入力側との間に、切替手段を設け、
該切替手段は、
前記衛星放送に係る映像・音声信号が伝送し、該映像・音声信号を所定の圧縮形式で処理した主放送が形成される主回路と、
前記衛星放送以外の放送に係る映像・音声信号が伝送し、該映像・音声信号を所定の圧縮形式で処理した従放送が形成される従回路とを、
所定の条件にしたがって可及的速やかに切り替え、
前記主回路と前記従回路に、
前記主回路若しくは前記従回路に混入したノイズを検知する検知手段と、
該ノイズを順次記録して、記録結果を形成する記録手段と、
該記録結果に記録された前記ノイズの増減に基づいて、前記ノイズが所定の閾値を超える時刻を予測して予測結果を形成する予測手段と、
前記検知手段で実測した前記主回路のノイズが所定の閾値を超えたか否かを判定して、前記切替手段に対して切替信号を出力すると共に、
前記予測結果で予測した時刻に至ったとき、前記検知手段で実測した前記主回路のノイズが所定の閾値を超える場合に備え、前記切替手段を速やかに作動させるために該切替手段へプレ切替信号を出力する判定手段とを設けて、
前記主回路にノイズが混入して、前記主回路を伝送する映像・音声信号からなる番組に受信障害が発生した場合に、
前記判定手段が出力した前記切替信号又は前記プレ切替信号に基づいて、
前記切替手段は、前記検知手段で実測した前記主回路のノイズが所定の閾値を超えたとき、又は、前記予測時刻に至ったときに、
前記従回路を伝送する映像・音声信号からなる番組へ可及的速やかに切り替えるようにしたことを特徴とする。
【０００７】
請求項２に記載の放送受信装置は、請求項１に記載の発明において、前記主回路の入力端側に少なくとも一つの主入力端子を設け、
前記従回路の入力端側に少なくとも一つ、好ましくは２個以上の従入力端子を設け、
前記主回路に混入したノイズが前記閾値を超えていないときには、前記切替手段を前記主回路へ接続するようにして、
前記主入力端子へ入力された前記衛星放送に係る映像・音声信号が、前記従入力端子に入力された前記衛星放送以外の放送に係る映像・音声信号と比べて、優先的に出力されるようにしたことを特徴とする。
【０００８】
請求項３に記載の放送受信装置は、請求項１若しくは請求項２に記載の発明において、前記切替手段と前記外部記録媒体との間に緊急避難回路を設け、
前記判定手段で、前記主回路及び前記従回路へ混入したノイズが何れも所定の閾値を超えていると判定され、
前記主回路及び前記従回路を伝送する映像・音声信号からなる番組が受信障害によって共に視聴不可能となったとき、
前記切替手段で、前記主回路又は前記従回路から、前記緊急避難回路へ可及的速やかに自動で切り替えて、
前記外部記録媒体に記録保存した前記番組を前記出力手段から出力するようにしたことを特徴とする。
【０００９】
請求項４に記載の放送システムは、衛星放送と該衛星放送以外の放送とからなる多チャンネルの放送を送信する設備を有する少なくとも一つの送信局と、
前記多チャンネルの放送を受信する設備を有する少なくとも一つ、好ましくは二以上の受信局と、
前記衛星放送を中継する通信衛星とからなり、
前記送信局から送信した前記衛星放送を前記通信衛星で中継して、前記受信局が同一の内容を同時に受信する放送システムであって、
前記受信局は、前記放送を受信する放送受信装置と、該放送受信装置から出力された番組を視聴可能なモニタを有する複数台の端末とからなり、
前記放送受信装置は、
衛星放送と該衛星放送以外の放送とからなる多チャンネルの放送を受信可能な放送受信装置であって、
受信した多チャンネル放送をチャンネル毎に分割する受信手段と、
チャンネル毎に分割した放送に係る映像・音声信号を所定の圧縮形式で符号化し、又は受信した放送毎に異なる圧縮形式で圧縮された映像・音声信号を前記所定の圧縮形式へ置換して、入力された放送に係る映像・音声信号を前記所定の圧縮形式に準拠した映像・音声信号に揃えるようにエンコードするエンコード手段と、
該エンコード手段でエンコードされた映像・音声信号からなる放送が、出力される際に混信しないようにそれぞれチャンネル毎に所定の変調形式にしたがって変調する変調手段と、
該変調手段で変調され、チャンネル毎に出力可能に変調された放送を所定の出力形式にしたがって端末へ出力し、又は外部記録媒体へ記録保存するために出力する出力手段とを有する放送受信装置において、
前記受信手段は、前記衛星放送による番組と同一内容の番組を前記衛星放送以外の放送によって同時に受信し、
前記エンコード手段の出力側と前記変調手段の入力側との間に、切替手段を設け、
該切替手段は、
前記衛星放送に係る映像・音声信号が伝送し、該映像・音声信号を所定の圧縮形式で処理した主放送が形成される主回路と、
前記衛星放送以外の放送に係る映像・音声信号が伝送し、該映像・音声信号を所定の圧縮形式で処理した従放送が形成される従回路とを、
所定の条件にしたがって可及的速やかに切り替え、
前記主回路と前記従回路に、
前記主回路若しくは前記従回路に混入したノイズを検知する検知手段と、
該ノイズを順次記録して、記録結果を形成する記録手段と、
該記録結果に記録された前記ノイズの増減に基づいて、前記ノイズが所定の閾値を超える時刻を予測して予測結果を形成する予測手段と、
前記検知手段で実測した前記主回路のノイズが所定の閾値を超えたか否かを判定して、前記切替手段に対して切替信号を出力すると共に、
前記予測結果で予測した時刻に至ったとき、前記検知手段で実測した前記主回路のノイズが所定の閾値を超える場合に備え、前記切替手段を速やかに作動させるために該切替手段へプレ切替信号を出力する判定手段とを設けて、
前記主回路にノイズが混入して、前記主回路を伝送する映像・音声信号からなる番組に受信障害が発生した場合に、
前記判定手段が出力した前記切替信号又は前記プレ切替信号に基づいて、
前記切替手段は、前記検知手段で実測した前記主回路のノイズが所定の閾値を超えたとき、又は、前記予測時刻に至ったときに、
前記従回路を伝送する映像・音声信号からなる番組へ可及的速やかに切り替えるように構成して、
前記衛星放送で受信した前記番組が受信障害によって前記モニタで視聴不可能となった場合であっても、前記衛星放送以外の放送で受信した前記番組を前記端末へ出力して、
前記モニタでノイズの無い前記番組を連続して視聴できるようにしたことを特徴とする。
【００１０】
請求項５に記載の放送システムは、請求項４に記載の発明において、前記放送受信装置の前記主回路の入力端側に少なくとも一つの主入力端子を設け、
前記従回路の入力端側に少なくとも一つ、好ましくは２個以上の従入力端子を設け、
前記主回路に混入したノイズが前記閾値を超えていないときには、前記切替手段を前記主回路へ接続するようにして、
前記主入力端子へ入力された前記衛星放送に係る映像・音声信号が、前記従入力端子に入力された前記衛星放送以外の放送に係る映像・音声信号と比べて、優先的に出力されるようにしたことを特徴とする。
【００１１】
請求項６に記載の放送システムは、請求項４若しくは請求項５に記載の発明において、前記放送受信装置の前記切替手段と前記外部記録媒体との間に緊急避難回路を設け、
前記判定手段で、前記主回路及び前記従回路へ混入したノイズが何れも所定の閾値を超えていると判定され、
前記主回路及び前記従回路を伝送する映像・音声信号からなる番組が受信障害によって共に視聴不可能となったとき、
前記切替手段で、前記主回路又は前記従回路から、前記緊急避難回路へ可及的速やかに自動で切り替えて、
前記外部記録媒体に記録保存した前記番組を前記出力手段から出力するようにしたことを特徴とする。
【００１２】
請求項７に記載の放送システムは、請求項４乃至請求項６のいずれかに記載の発明において、に記載の発明において、前記送信局と前記各受信局とからなる広域通信網を設け、
該広域通信網上を、前記衛星放送以外の放送に係る映像・音声信号が前記送信局から前記受信局に対して伝送し、
前記衛星放送以外の放送に係る映像・音声信号を受信した前記放送受信装置は、略同時に前記衛星放送以外の放送に係る映像・音声信号を出力して、
前記衛星放送以外の放送に係る映像・音声信号からなる番組が、前記端末で可及的に再生されるようにしたことを特徴とする。
【００１３】
請求項８に記載の放送システムは、請求項４乃至請求項７のいずれかに記載の発明において、前記送信局及び前記各受信局は、固有の識別コードを有し、
前記各受信局のうち、前記受信障害が発生した地域に配されている一の前記受信局が、前記識別コードを埋め込んだ配信要求を、前記送信局或いは前記受信障害が発生した地域以外の地域に配されている他の前記受信局へ送信したとき、
前記配信要求を受信した、前記送信局或いは他の前記受信局は、配信要求を送信した一の前記受信局を特定して、前記衛星放送以外の放送に係る映像・音声信号からなる番組を送信し、
該衛星放送以外の放送に係る映像・音声信号からなる番組を受信した一の前記受信局が有する前記放送受信装置は、略同時に前記衛星放送以外の放送に係る映像・音声信号を出力して、
前記衛星放送以外の放送に係る映像・音声信号からなる番組が、前記端末で可及的に再生されるようにしたことを特徴とする。
【００１４】
請求項９に記載の放送システムは、請求項８に記載の発明において、前記識別コードを、所定の形式で暗号化された非公開識別コードとして、
該非公開識別コードを埋め込んだ配信要求を送信した前記一の受信局に対して、前記送信局或いは前記他の受信局が前記衛星放送以外の放送に係る映像・音声信号からなる番組を返信するとき、
前記送信局又は他の前記受信局は、該衛星放送以外の放送に係る映像・音声信号からなる番組を暗号化して送信し、
暗号化された前記衛星放送以外の放送に係る映像・音声信号からなる番組を受信した一の前記受信局が有する前記放送受信装置は、前記エンコード手段で当該番組をエンコードするとき、同時に当該番組の暗号を解読すると共に、略同時に前記衛星放送以外の放送に係る映像・音声信号を出力して、
暗号化された前記衛星放送以外の放送に係る映像・音声信号からなる番組が、前記端末で可及的に再生されるようにしたようにしたことを特徴とする。
【００１５】
請求項１０に記載の放送システムは、請求項４に記載の発明において、前記送信局と前記各受信局とを地上波デジタルテレビ回線で接続し、
該地上波デジタルテレビ回線上を、前記衛星放送以外の放送に係る映像・音声信号が前記送信局から前記受信局に対して伝送し、
前記衛星放送以外の放送に係る映像・音声信号を受信した前記放送受信装置は、略同時に前記衛星放送以外の放送に係る映像・音声信号を出力して、
前記衛星放送以外の放送に係る映像・音声信号からなる番組が、前記端末で可及的に再生されるようにしたことを特徴とする。
【発明の効果】
【００１６】
請求項１に記載の放送受信装置によれば、衛星放送に係る映像・音声信号が入力される主回路と、衛星放送以外の放送に係る映像・音声信号が入力される従回路とを設けて、衛星放送に受信障害が発生したとき、主回路から従回路へ可及的速やかに自動で切り替えるようにした。また、衛星放送によって送信される番組と同一内容の番組を衛星放送以外の放送によって同時に送信するようにした。
これにより、天候不順等で衛星放送に受信障害が生じて、放送中の番組が視聴不可能となったとき、放送受信装置は、番組の入力先を衛星放送以外の放送へ瞬時にかつ自動的に切り替えることができる。そのため、該放送受信装置から番組が供給されている端末では、視聴中の番組が受信障害で途切れてしまうことを防止することができる。
【００１７】
請求項２に記載の放送受信装置によれば、衛星放送に係る映像・音声信号が入力される主回路と、衛星放送以外の放送に係る映像・音声信号が入力される従回路とを設けて、主回路に少なくとも一つの主入力端子を設け、従回路に少なくとも一つ、好ましくは二以上の従入力端子を設けた。
さらに、放送受信装置が有する切替手段は、衛星放送に受信障害が発生していない限りは、基本的に主回路への接続を維持するようにした。
これにより、主回路は従回路に対して優先的に使用されるようにすることができる。
また、衛星放送以外の放送に係る映像・音声信号が入力される従入力端子を複数個設けた。
これにより、従入力端子のコネクタを例えば、インターネット回線、地上波デジタルテレビ回線、電話回線のように、それぞれ異なる通信回線へ対応する規格に準拠するように形成することができる。
そのため、衛星放送による番組が優先的に放映されている間、衛星放送以外の放送による番組を複数の通信回線を介してバックグラウンドで流しておくことができる。
したがって、天候不順等で衛星放送に受信障害が生じて、放送中の番組が視聴不可能となったとき、放送受信装置は、優先的に放映されていた衛星放送による番組を、バックグラウンドで流されている複数の衛星放送以外の放送による番組の中から選択した最適な番組へ瞬時にかつ自動的に切り替えることができる。そのため、該放送受信装置から番組が供給されている端末では、視聴中の番組が受信障害で途切れてしまうことを防止することができる。
【００１８】
請求項３に記載の放送受信装置によれば、該放送受信装置に映画や番組等からなる映像コンテンツを記録保存した外部記録媒体を設け、該外部記録媒体と切替手段とを緊急避難回路で接続して、衛星放送による番組と、衛星放送以外の番組が共に受信障害で視聴できなくなったとき、外部記録媒体に記録保存した映像コンテンツを呼び出して出力するようにした。
これにより、天候不順等で衛星放送に受信障害が生じ、かつ、天候不順や断線等による事故で衛星放送以外の放送に受信障害が生じて、放送中の番組を放送受信装置が受信することができなくなったとき、放送受信装置は、番組の入力先を外部から該放送受信装置が有する外部記録媒体へ瞬時にかつ自動的に切り替えることができる。そのため、該放送受信装置から番組が供給されている端末では、視聴中の番組が受信障害で途切れてしまうことを防止することができる。
【００１９】
請求項４に記載の放送システムによれば、受信局は請求項１に記載の放送受信装置を有する。
これにより、天候不順等で衛星放送に受信障害が生じて、放送中の番組が視聴不可能となったとき、放送受信装置は、番組の入力先を衛星放送以外の放送へ瞬時にかつ自動的に切り替えることができる。そのため、該放送受信装置から番組が供給されている端末では、視聴中の番組が受信障害で途切れてしまうことを防止することができ、受信局内では、あたかも放映中の番組に受信障害が発生していないかのように見せかけることができる。
【００２０】
請求項５に記載の放送システムによれば、受信局は請求項１若しくは請求項２に記載の放送受信装置を有する。
これにより、受信局は、衛星放送による番組を、衛星放送以外の放送による番組に対して優先的に放映することができる。
また、受信局は、衛星放送以外の放送を例えば、インターネット回線、地上波デジタルテレビ回線、電話回線のように、それぞれ異なる通信規格で受信することができ、衛星放送による番組が優先的に放映されている間、衛星放送以外の放送による番組を複数の通信回線を介してバックグラウンドで流しておくことができる。
したがって、天候不順等で衛星放送に受信障害が生じて、放送中の番組が視聴不可能となったとき、放送受信装置は、優先的に放映されていた衛星放送による番組を、バックグラウンドで流されている複数の衛星放送以外の放送による番組の中から選択した最適な番組へ瞬時にかつ自動的に切り替えることができる。そのため、該放送受信装置から番組が供給されている端末では、視聴中の番組が受信障害で途切れてしまうことを防止することができ、受信局内では、あたかも放映中の番組に受信障害が発生していないかのように見せかけることができる。
さらに、衛星放送以外の放送による番組を複数の回線に分けるようにしたことにより、当該通信回線のうち何れか一の回線が断線した場合でも、他の回線を選択することで、断線等の事故によるリスクを分散することができる。
【００２１】
請求項６に記載の放送システムによれば、受信局は請求項１乃至請求項３のいずれかに記載の放送受信装置を有する。
これにより、天候不順等で衛星放送に受信障害が生じ、かつ、天候不順や断線等による事故で衛星放送以外の放送に受信障害が生じて、何れの通信回線を介しても放送を受信することができず、放送中の番組を受信局が受信することができなくなったとき、受信局内の放送受信装置が、番組の入力先を受信局外部から該放送受信装置が有する外部記録媒体へ瞬時にかつ自動的に切り替えることができる。そのため、該放送受信装置から番組が供給されている端末では、視聴中の番組が受信障害で途切れてしまうことを防止することができ、受信局内では、あたかも放映中の番組に受信障害が発生していないかのように見せかけることができる。
【００２２】
請求項７に記載の放送システムによれば、インターネット回線を利用して送信局と各受信局とから広域通信網を形成するようにした。そのため、衛星放送以外の放送に係る映像・音声信号の通信回線として、広域通信網を利用して、送信局から各受信局に対してストリーミング配信することができる。
これにより、衛星放送による番組に替えて、該番組と同一内容の番組を広域通信網を介して複数の受信局へ配信することができる。ここで、送信局と受信障害が発生した一の受信局との間のインターネット回線が断線しても、送信局から受信障害が発生していない他の受信局へ送信された番組を一の受信局へ広域通信網の別の経路を迂回させて転送することができる。
そのため、受信障害又はインターネット回線の断線があっても、一の受信局では、あたかも放映中の番組に受信障害や断線の影響が無いように見せかけることができる。
【００２３】
請求項８に記載の放送システムによれば、広域通信網に接続された送信局と各受信局に固有の識別コードを設定し、該識別コードを配信要求に埋め込むようにした。
これにより、配信要求を出した受信局を容易に特定することができ、即時に配信要求がなされた番組を当該受信局に対して自動的に配信することができる。
また、配信要求を出した受信局で受信障害が発生していることを、気象情報のように警報や注意報として配信要求を出した受信局から、送信局や周囲の他の受信局に対して配信することができる。そのため、例えば放送受信装置に設けた予測手段へ受信障害警報或いは注意報を入力することにより、以後の受信障害の発生予測を補助することができる。
【００２４】
請求項９に記載の放送システムによれば、配信要求と、該配信要求に応答して配信する番組を共に暗号化して非公開とした。これにより、配信要求を出した受信局以外の受信局が広域通信網を伝送する暗号付の番組を受信した場合であっても、端末で視聴されることを防止することができる。そのため、特定の者以外の者の視聴を制限する会員制の放送を容易に実現することができる。
【００２５】
請求項１０に記載の放送システムによれば、衛星放送に受信障害が生じたとき、地上波デジタルテレビ放送に可及的に自動で切り替えて見かけ上、受信障害が発生していないようにすることができる。
また、地上デジタルテレビ放送の空きチャンネルを利用して入力した番組を各端末で放映するようにすれば、従来の屋内配線を有効に利用することができ、新たに設備を設ける必要がないので、新規導入コストを抑えることができる。
【図面の簡単な説明】
【００２６】
【図１】第１実施例に係る放送受信装置の構成の概略を示すブロック図である。
【図２】第１実施例に係る放送受信装置を有する受信局の構成の概略を示すブロック図である。
【図３】第１実施例に係る放送受信装置を有する受信局を備えた放送システムの構成の概略を示すブロック図である。
【実施例１】
【００２７】
本発明に係る放送受信装置と、該放送受信装置を備えた受信局、及び送信局からなる放送システムに係る実施例を、添付した図面にしたがって、説明する。
図１は本実施例に係る放送受信装置の構成の概略を示し、図２は本実施例に係る放送受信装置を有する受信局の構成の概略を示し、図３は、本実施例に係る放送受信装置を有する受信局を備えた放送システムの構成の概略を示す。
【００２８】
放送受信装置１０は、図１に示すように、装置本体１１に、複数個の入力端子１２と少なくとも一つの出力端子１３を有している。
複数個の入力端子１２を装置本体１１に配することにより、衛星放送による番組と衛星放送以外の放送による番組を同時に受信することができる。
また、装置本体１１に少なくとも一つ配される出力端子１３は、図２に示すように、分配器５３に接続されている。該分配器５３により、所定の数の端末５０に対して一斉に配信することができる。
【００２９】
入力端子１２は、主入力端子１２ａと、従入力端子１２ｂとからなる。後述するように、主入力端子１２ａに入力された放送は、従入力端子１２ｂに対して優先的に出力端子１３から出力される。
主入力端子１２ａは、装置本体１１に少なくとも一つ形成されている。
本実施例において、主入力端子１２ａは、後述するように衛星放送が入力される。そのため、主入力端子１２ａは、衛星放送入力用の同軸ケーブル端子からなることが好ましい。しかしこれに限定されるものではなく、Ｓ−ビデオ端子、又はＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠したＨＤＭＩ端子といった、高品質な映像・音声信号が入力可能な端子でもよい。
そして、主入力端子１２ａに入力される衛星放送は、解像度、画質、又は精細度等が高く、画像或いは映像が鮮明な、いわゆるハイディフィニション放送（以下「ＨＤ放送」という）である。しかし、これに限定されるものではなく、ブルーレイディスク（以下「ＢＤ」という）やハードディスクドライブ（以下「ＨＤＤ」という）等へ記録された高画質映像からなる番組を、ＢＤプレーヤー又はパソコン等から入力するようにしても良い。
【００３０】
従入力端子１２ｂは、装置本体１１に少なくとも一つ、好ましくは２個以上、特に好ましくは３個形成されている。
本実施例において、従入力端子１２ｂは、後述するように衛星放送以外の放送が入力される。そのため、従入力端子１２ｂは、衛星放送以外の放送に係る映像・音声信号を入力することができるように、それぞれの通信規格に準拠したコネクタからなる。本実施例では特に構内通信網（以下「ＬＡＮ」という）用のＬＡＮコネクタ、テレビ放送用のＲＦ端子、又はＵＳＢ端子からなる。
そして、従入力端子１２ｂに入力される衛星放送以外の放送は、画質や解像度等が標準的な放送（上記ＨＤ放送に対して、以下「ＳＤ放送（スタンダードディフィニション放送）」という）である。
【００３１】
主入力端子１２ａは、主回路１４ｎ一端に配され、従入力端子１２ｂは、従回路１５の一端に配されている。
主回路１４は、後述するように、主入力端子１２ａから入力された衛星放送に係る映像・音声信号に所定の処理を施した主放送を形成している。また、従回路１５は、後述するように、従入力端子１２ｂから入力された衛星放送以外の放送に係る映像・音声信号に所定の処理を施した従放送を形成している。
【００３２】
放送受信装置１０は、図１に示すように、受信部１６と、エンコード部１７と、検知部１８と、記録部１９と、予測部２０と、判定部２１と、切替部２２と、変調部２３と、出力部２４とからなる。
上記の各部は、主回路１４又は従回路１５に入力された映像・音声信号を処理する映像・音声信号系と、主回路１４又は従回路１５に混入したノイズを検知し、受信障害が発生しているか否かを判定するノイズ検出系とからなる。
映像・音声信号系は、受信部１６と、エンコード部１７と、切替部２２と、変調部２３と、出力部２４とからなり、ノイズ検出系は、検知部１８と、記録部１９と、予測部２０と、判定部２１からなる。
映像・音声信号系は、切替部２２の入力側に主回路１４と従回路１５が並設され、切替部２２の出力側には出力回路２５が形成されている。該出力回路２５の末端には出力端子１３が配されている。
ノイズ検出系は、主回路１４側と従回路１５側にそれぞれ設けられている。以下、主回路１４側のノイズ検出系を第１ノイズ検出系、従回路１５側のノイズ検出系を第２ノイズ検出系とする。
【００３３】
受信部１６は、衛星放送と該衛星放送以外の放送とからなる多チャンネルの放送を受信し、受信した多チャンネル放送をチャンネル毎に分割する受信手段を有している。該受信手段は、異なる周波数帯域で送信された衛星放送に係る映像・音声信号を受信可能であって、また、異なる周波数帯域又は異なる圧縮形式で送信された衛星放送以外の放送に係る映像・音声信号を受信可能に構成されている。
そして受信部１６は、主回路１４側の第１受信部１６ａと、従回路１５側の第２受信部１６ｂとからなる。
【００３４】
第１受信部１６ａは、その入力側に主入力端子１２ａが配されている。該主入力端子１２ａから主回路１４へ入力された衛星放送によるＨＤ放送はチャンネル毎に分割され、該ＨＤ放送に係る映像・音声信号はエンコード部１７へ出力されている。
第２受信部１６ｂは、その入力側に従入力端子１２ｂが配されている。該従入力端子１２ｂから従回路１５に入力された衛星放送以外の放送によるＳＤ放送はチャンネル毎に分割され、該ＳＤ放送に係る映像・音声信号はエンコード部１７へ出力されている。
また、第２受信部１６は、衛星放送以外の放送に係る映像・音声信号の入力先を自動的に選択する選択手段を有する。該選択手段は、後述する第２検知部１８ｂからフィードバックされる各従入力端子１２ｂ毎のノイズ量に基づいて最もノイズの小さかった従入力端子１２ｂを選択する。
第１受信部１６ａと第２受信部１６ｂを設けたことにより、ＨＤ放送とＳＤ放送を同時に受信することができる。
【００３５】
エンコード部１７は、主回路１４側の第１エンコード部１７ａと、従回路１５側の第２エンコード部１７ｂとからなる。
第１エンコード部は、ＨＤ放送に係る映像・音声信号を所定の圧縮形式で符号化するエンコード手段を有する。該エンコード手段で映像・音声信号がエンコードされたＨＤ放送は、以下主放送という。
本実施例においては、Ｈ．２６４規格又はＭＰＥＧ−４  ＡＶＣ（Ｍｏｖｉｎｇ  Ｐｉｃｔｕｒｅ  Ｅｘｐｅｒｔｓ  Ｇｒｏｕｐ  ｐｈａｓｅ  ４  Ｐａｒｔ１０  Ａｄｖａｎｃｅｄ  Ｖｉｄｅｏ  Ｃｏｄｉｎｇ）規格に準拠した圧縮形式で入力されたＨＤ放送が、ＭＰＥＧ−２規格に準拠した圧縮形式によってＳＤ放送へエンコードされている。
なお、上記のエンコードに限定されるものではなく、ＨＤ放送に係る映像・音声信号を、ＳＤ放送に係る映像・音声信号に変換するものであればよい。これにより、画質は多少損なわれるものの、映像・音声信号の転送速度を上げることができる。そのため、図２に示す端末５０に対してスムーズに配信することができる。
チャンネル毎に分割した放送に係る映像・音声信号を所定の圧縮形式で符号化し、又は受信した放送毎に異なる圧縮形式で圧縮された映像・音声信号を前記所定の圧縮形式へ置換して、入力された放送に係る映像・音声信号を前記所定の圧縮形式に準拠した映像・音声信号に揃えるようにエンコードするエンコード手段と、
【００３６】
第２エンコード部１７ｂは、ＳＤ放送に係る映像・音声信号を所定の圧縮形式で符号化すると共に、入力されたＳＤ放送に係る映像・音声信号が異なる圧縮形式で圧縮されていた場合に、所定の圧縮形式へ置換するエンコード手段を有する。該エンコード手段で映像・音声信号がエンコードされたＳＤ放送は、以下従放送という。
本実施例では、ストリーミング配信等に対応したアプリケーションソフトで独自に使用される圧縮形式に準拠する映像・音声信号や、Ｈ．２６４規格に準拠する低画質又は標準画質の映像・音声信号が、地上波デジタルテレビ放送に採用されているＭＰＥＧ−２規格に準拠した圧縮形式によって、一律にＳＤ放送に係る映像・音声信号へエンコードされている。
【００３７】
エンコード部１７の入力側では、第１エンコード部１７ａと第２エンコード部１７ｂのそれぞれで映像・音声信号の圧縮形式が相違しているが、エンコード部１７の出力側では、出力される主放送に係る映像・音声信号と従放送に係る映像・音声信号を共通する圧縮形式で揃えている。
これにより、主放送に係る映像・音声信号と従放送に係る映像・音声信号の信号処理を容易にすることができ、端末５０へ容易に配信することができる。
【００３８】
検知部１８は、主回路１４側の第１検知部１８ａと、従回路１５側の第２検知部１８ｂとからなる。
第１検知部１８ａは、主回路１４に混入したノイズを検知する検知手段として、第１検知センサ２６を有している。
第１検知センサ２６は、主回路１４の電圧の変化を測定する電圧センサであることが好ましい。該電圧センサによって、主放送に係る映像・音声信号へランダムに重畳するノイズ信号を検知することができる。
なお、第１検知センサ２６は、ノイズの検知を目的とするものであるので、電圧センサに限定されない。例えば、主入力端子１２ａ、或いは、図３に示す受信局１００上空の気象変化を測定し、気象の乱れを検知する気象センサでも良い。さらに気象センサの中でも、降雨量の多寡を検知する雨量センサや、雲の厚さや空の所定面積のうち雲が占める割合を求める雲量センサ、空気中の電圧変化を測定し、雷の発生を検知する雷センサ等といった、晴天を観測するためのものではなく、悪天候を観測するためのセンサであれば良い。
【００３９】
第２検知部１８ｂは、従回路１５に混入したノイズを検知する検知手段として、第２検知センサ２７を有している。第２検知センサ２７は、第１検知センサ２６と同様であるから説明を省略する。
また、第２検知センサ２７は、装置本体１１へ複数個配した従入力端子１２ｂへそれぞれ対応するように複数個配置されている。
これにより、従入力端子１２ｂ毎にノイズの有無を検知することができ、従入力端子１２ｂ毎にノイズを比較することができる。
【００４０】
記録部１９は、主回路１４側の第１記録部１９ａと、従回路１５側の第２記録部１９ｂとからなる。
第１記録部１９ａは、第１検知センサ２６で検知したノイズを時系列に沿って記録する記録手段を有している。該記録手段は記録結果として第１データログ３０を形成している。
第２記録部１９ｂは、第２検知センサ２７で検知したノイズを時系列に沿って記録する記録手段を有している。該記録手段は記録結果として第２データログ３１を形成している。該第２データログは従入力端子１２ｂ毎に記録され、第２受信部１６ｂの選択手段へ情報がフィードバックされている。
形成された第１データログ３０と第２データログ３１のうち、直近の記録は、次に示す予測部２０と判定部２１において容易に参照することができるように、メモリ等へ一時的に記録される。そして、形成されてから所定の時間が経過した第１データログ３０及び第２データログ３１は、ＨＤＤやフラッシュメモリカード等の外部記録媒体４０に記録される。又はさらに所定の時間が経過した第１データログ３０及び第２データログ３１は、外部記録媒体４０の記憶領域を確保するために生成順に消去又は新たなデータログ３０，３１で上書きされる。
【００４１】
予測部２０は、主回路１４側の第１予測部２０ａと、従回路１５側の第２予測部２０ｂとからなる。
第１予測部２０ａは、メモリ等へ一時的に記録されている第１データログ３０を参照して、主回路１４に発生しているノイズが以後、増加するか或いは減少するか予測する予測手段を有している。該予測手段は、第１予測時刻ログ３２を形成している。第１予測時刻ログ３２は、第１検知センサ２６が実測しているノイズの測定値が、漸次増加している場合に所定の閾値を超えるであろう時刻を予測したものである。
第２予測部２０ｂは、第１予測部２０ａと同様に、メモリ等へ一時的に記録されている第２データログ３１を参照して、従回路１５に発生しているノイズが以後、増加するか或いは減少するか予測する予測手段を有している。該予測手段は、第２予測時刻ログ３３を形成している。第２予測時刻ログ３３は、第１予測時刻ログ３２と同様に、第２検知センサ２７が実測しているノイズの測定値が、漸次増加している場合に所定の閾値を超えるであろう時刻を予測したものである。
第１予測時刻ログ３２と第２予測時刻ログ３３もまた、第１データログ３０や第２データログと同様に、一時的にメモリ等へ記録され、所定の時間が経過した後には、外部記録媒体４０へ記録され、さらに消去や新たな予測時刻ログ３２，３３で上書きされる。
【００４２】
判定部２１は、主回路１４側の第１判定部２１ａと、従回路１５側の第２判定部２１ａとからなる。
第１判定部２１ａは、第１検知センサ２６で実測した前記主回路１４に混入しているノイズと、所定の閾値とを、逐次比較判定して、該ノイズの大きさが所定の閾値を超えたとき、切替部２２に対して切替信号３４を出力する判定手段を有している。
すなわち、常時主回路１４へ混入しているノイズの大きさが無視できないほどに大きくなったとき、該ノイズによって主回路１４上を伝送する映像・音声信号からなる主放送に受信障害が生じ、主放送による番組が視聴不可能であるとみなすことができるからである。
また、該判定手段は、第１検知センサ２６で実測している主回路１４のノイズの大きさが所定の閾値を超えていない場合であっても、第１予測時刻ログ３２を参照して、主回路１４に混入しているノイズの大きさが所定の閾値を超える場合に備えて、プレ切替信号３５を切替部２２に対して送信する。これにより、第１予測時刻ログ３２に記録された予測時刻に至ったとき、可及的速やかに切替部２２を制御して、主回路１４から従回路１５へ切り替えることができる。
切替信号３４及びプレ切替信号３５によって、主回路１４へ混入したノイズの大きさが閾値を越えた瞬間に切替部２２を速やかに作動させることができる。
【００４３】
第２判定部２１ｂは、第１データログ３０に記録されているノイズの大きさを閾値として、該閾値と第２データログ３１に記載されている従回路１５のノイズの大きさとが逐次比較判定する判定手段を有する。
ここで、判定対象となる第２データログ３１に記録されている従回路１５のノイズの大きさは、第２受信手段１６ｂに設けた選択手段で選択された、最小ノイズのＳＤ放送に係る映像・音声信号の第２データログ３１である。
第２データログ３１に記録されたノイズの大きさが第１データログ３０に記録されているノイズの大きさより小さければ、主回路１４を従回路１５へ切り替えたとき、従回路１５上を伝送する映像・音声信号に混入しているノイズによって、従放送による番組が既に視聴不可能となっていることを防止することができる。
【００４４】
さらに、第２判定部２１ｂは、第２予測時刻ログ３３と第１予測時刻ログ３２とを比較判定するようにしても良い。
ここで、第２予測時刻ログ３３に記録された予測時刻が、第１予測時刻ログ３２に記録された予測時刻よりも早い場合、主放送が受信障害を受けたとき、番組の入力先を切り替えたとしても、既に従放送は受信障害を受けているおそれがある。
そのため、好ましくは、緊急避難的な選択肢として、装置本体１１に設けた外部記録媒体４０から、保存されている代替映像を出力するようにしても良い。これにより、主回路１４と従回路１５に混入したノイズの大きさが所定の閾値を超え、主放送と従放送が共に受信障害を受けて、端末５０で主放送による番組と従放送による番組の何れも視聴不可能であるとき、可及的速やかに代替映像を各端末５０へ出力することができる。
また、第２データログ３１に記録されるノイズの大きさが、閾値とした第１データログ３０に記録されるノイズの大きさを超えているとき、第２判定部２１ｂは、既に主放送による番組と従放送による番組が受信障害によって共に視聴不可能となっている蓋然性が高いと判定する。
このとき、即時に装置本体１１に設けた外部記録媒体４０から保存されている代替映像が端末５０へ出力される。これにより、各端末５０でノイズ画面が表示されることを防止することができる。
【００４５】
切替部２２は、上記の判定結果に基づいて、主放送と従放送を可及的速やかに自動で切り替える切替手段を有している。該切替手段は、スイッチ３６と、該スイッチの動作を制御するスイッチ制御手段とからなる。
切替部２２に入力側には、主回路１４と従回路１５の終端が配されている。切替部２２の出力側には、出力回路２５の始端が配されている。スイッチ制御手段は、判定部２１から切替信号３４又はプレ切替信号３５を受信し、スイッチ３６を切り替えるスイッチング制御を行う。該スイッチング制御により主回路１４と従回路１５は瞬時に自動切替される。
また、好ましくは、切替部２２の入力側に緊急避難回路４１の終端４１ａを配する。該緊急避難回路４１の始端は、外部記録媒体４０に接続されている。
【００４６】
スイッチ３６の接続状態は、通常、主回路１４側で保持されている。そして、スイッチ制御手段は、判定部２１から受信した切替信号３４又はプレ切替信号３５に基づいて、スイッチ３６の接続状態を自動的に主回路１４から従回路１５へ切り替え、また、切替信号３４又はプレ切替信号３５の途絶によって、スイッチ３６の接続状態を自動的に従回路１５から主回路１４へ切り替える。
これにより、主回路１４に混入したノイズが所定の閾値を超えて、主放送が受信障害を受け、該主放送による番組が視聴不可能となったとき、可及的に従放送による番組へ自動で切替えることができる。一方、主放送の受信障害が終了したとき、可及的に主放送による番組へ自動で切替えることができる。
また、判定部２１から、主回路１４と従回路１５に混入しているノイズが所定の閾値を共に超えている判定結果を受けたとき、主放送と従放送が共に受信障害を受け、主放送による番組と従放送による番組が共に視聴不可能となっているので、スイッチ３６を緊急避難回路４１の終端４１ａに接続することにより、外部記録媒体４０から代替映像を緊急避難的に入力することができる。
【００４７】
変調部２３は、切替部２２の出力回路２５上を伝送する主放送又は従放送に係る映像・音声信号を所定の変調形式に従って変調する変調手段を有している。
本実施例では、ＯＦＤＭ変調形式でデジタル変調され、地上波デジタルテレビ放送の伝送方式に変調されている。
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）とは、直交波周波数分割多重の意であって、高速で広帯域なデータ信号を低速で狭帯域なデータ信号に変換して所定の周波数軸上で並列に伝送する際に、搬送波の直交性を利用して同一周波数軸上でのオーバーラップを許容して変調させるデジタル変調形式の一つである。この変調形式によれば、複数の搬送波の一部がオーバーラップしていても互いに干渉することなく密に並べることができる。そのため、所定の広帯域でデータ信号を伝送する際に該広帯域周波数の利用効率を上げることができる。
ここで、従来のアナログテレビ放送に準じた地上波デジタルテレビ放送の伝送方式で変調したことにより、従来のテレビ回線に係る設備を流用することができるので、設備投資等のコストを抑えることができる。
なお、ＯＦＤＭ変調によって、地上波デジタルテレビの伝送形式ではなく、例えば、ＩＥＥＥ８０２．１１系の無線ＬＡＮの伝送方式に変調すれば、無線ルータと屋内中継器等を用いて、配線工事等を省略することができる。そのため、設備投資等のコストを抑えることができる。
また、ＯＦＤＭ変調によって、電力線モデムの伝送方式に変調すれば、建物に張り巡らされている電気設備をそのまま利用することができるので、設備投資等のコストを抑えることができる。
【００４８】
出力部２４は、変調部２３で変調した主放送又は従放送に係る映像・音声信号を所定の出力形式にしたがって出力端子１３から端末５０に向けて出力する出力手段と、変調部２３でデジタル変調した主放送又は従放送による番組を外部記録媒体４０へ記録保存するために出力する出力手段を有している。
外部記録媒体４０は、ハードディスクドライブ（ＨＤＤ）、カード型フラッシュメモリ、或いはＵＳＢメモリからなり、装置本体１１はカード型フラッシュメモリを挿抜可能な専用のカードスロットと、ＵＳＢメモリを挿抜可能なＵＳＢコネクタを有している。
また好ましくは、外部記録媒体４０として用いられるＨＤＤは、変調された主放送又は従放送による番組を一時的に記録するようにしても良い。一時的に記録された主放送又は従放送による番組は、図３に示す各端末５０に向けて主放送又は従放送に係る映像・音声信号を出力しつつ該映像・音声信号からなる番組の再生が行われる。これにより、受信局１００内において、端末５０ではいわゆるストリーミング方式によって番組をリアルタイムで再生することができ、後述する受信局１００と送信局１１０との間の回線利用効率をあげることができる。
【００４９】
上記の構成を有する放送受信装置１０は、受信局１００に設置されている。添付した図２にしたがって説明する。
受信局１００は、放送受信装置１０と、複数台の端末５０と、放送受信装置１０と端末５０を結ぶテレビ回線５１と構内通信網５２（以下「ＬＡＮ」という）と、分配器５３とからなる。
図２では、テレビ回線５１とＬＡＮ５２を一本の実線で示して簡略化した。
本実施例において、受信局１００は例えばホテルや旅館等の宿泊施設、或いは、入院設備を備えた病院等の滞在型施設等が望ましい。さらに受信局１００は、通常のテレビ放送波が届き難い島嶼部、山間狭隘地区といった場所に設置することもできる。
【００５０】
放送受信装置１０の説明は省略する。
端末５０は、モニタ及びスピーカを備えたテレビ５０ａと、好ましくは課金装置５０ｂとからなる。
本実施例において、テレビ５０ａは地上波デジタルテレビ放送を受信可能なデジタルテレビが好ましいが、これに限定されるものではなく、例えば、アナログテレビと、デジタル変調回路を備えたセットトップボックス（ＳＴＢ）とを組み合わせたもののように地上波デジタルテレビ放送による番組を視聴可能に構成されたものであれば良い。
また、課金装置５０ｂは、視聴制限をかけられた有料放送の当該視聴制限を解除する機能を有するものであって、例えばプリペイドカードを該課金装置５０ｂに挿入することで認証し、視聴可能とするものや、硬貨又はコインを該課金装置５０ｂへ投入して所定時間視聴可能にするもの、又はポストペイカードを該装置５０ｂに挿入して視聴した時間に相当する料金を後で支払うもの等がある。
【００５１】
テレビ回線５１は、当該回線上を放送受信装置１０から出力される主放送又は従放送に係る映像・音声信号が伝送する他に、好ましくは地上波デジタルテレビ放送に係る映像・音声信号が伝送する。
テレビ回線５１は、主放送及び従放送、並びに地上波デジタルテレビ放送に係る映像・音声信号を搬送する所定の周波数帯域の高周波が流れている。当該周波数帯域は概ね３００Ｈｚ乃至３ＴＨｚである。
また、テレビ回線５１の始端は放送受信装置１０若しくは地上波デジタルテレビ放送を受信するためのアンテナに接続され、終端は、テレビ５０ａのＲＦ端子（図示略）に接続されている。これにより、テレビ５０ａで地上波デジタルテレビ放送を受信可能にすると共に、該地上波デジタルテレビ放送による番組が入力されない、いわゆる空きチャンネルへ、放送受信装置１０から主放送又は従放送による番組を割り込ませることができる。
【００５２】
放送受信装置１０と各端末５０とは互いにＬＡＮ５２で接続され、構内通信網（ＬＡＮ：Ｌｏｃａｌ  Ａｒｅａ  Ｎｅｔｗｏｒｋ）を形成している。
これにより、テレビ回線５１が断線した場合であっても、ＬＡＮ５２を用いて放送受信装置１０から主放送又は従放送による番組を各端末５０に対して出力することができる。
【００５３】
分配器５３は、テレビ回線５１上を伝送する主放送又は従放送に係る映像・音声信号を搬送する搬送波を各端末５０へ等分に分配する分波手段と、放送受信装置１０と所定の端末５０との間で行われる双方向通信を実現するためにＬＡＮ５２上で伝送する通信信号を中継するハブ手段とからなる。
これにより、放送受信装置１０から主放送又は従放送に係る番組を端末５０へ出力することができ、端末５０と放送受信装置１０との間で例えば視聴中の番組の情報等を通信することができる。
【００５４】
上記の構成を有する受信局１００は、放送システム１０００に組み込まれている。添付した図３にしたがって説明する。
放送システム１０００は、受信局１００と、送信局１１０と、通信衛星１２０と、広域通信網１３０と、中継局１４０とからなる。
受信局１００は、放送システム１０００に少なくとも一つ、好ましくは２以上設けられている。受信局１００の詳細な説明は省略する。放送を送信する少なくとも一つの送信局１１０と、放送を衛星電気通信回線を用いて中継する通信衛星１２０と、少なくとも一つの送信局１１０と複数の受信局１００とを互いに接続する広域通信網１３０と、また、好ましくは地上波デジタル放送を実現するための中継局１４０とからなる。
【００５５】
送信局１１０は、放送システム１０００に少なくとも一つ設けられている。送信局１１０は、センタサーバ１１１と放送送信装置１１２とからなる。
センタサーバ１１１は、ＨＤＤ、フラッシュメモリ或いはＵＳＢメモリ等からなる外部記録媒体に記録保存したマスターレコードによる番組を読み出し可能に構成されている。また、撮影した番組をマスターレコードとして一時的に保存しつつ、放送送信装置１１２へリアルタイムで出力するストリーミング出力手段を有している。
放送送信装置１１２は、入力部１１３と、エンコード部１１４と、出力部１１５とからなる。
【００５６】
入力部１１３は、センタサーバ１１１から入力されたマスターレコードによる番組をエンコード部１１４へ出力する。
エンコード部１１４は、マスターレコードによる番組に係る映像・音声信号を少なくとも一つのＨＤ放送に係る映像・音声信号へエンコードすると共に、マスターレコードによる番組に係る映像・音声信号を少なくとも一つ、好ましくは２つ以上、さらに好ましくは３つのＳＤ放送に係る映像・音声信号へエンコードする。
さらに、ＨＤ放送に係る映像・音声信号は、Ｈ．２６４／ＭＰＥＧ−４  ＡＶＣ規格に準拠した圧縮形式で圧縮し、出力部１１５へ出力される。
また、ＳＤ放送に係る映像・音声信号は、ＭＰＡＧ−２規格に準拠した圧縮形式で圧縮し、出力部１１５へ出力される。
【００５７】
出力部１１５は、少なくとも一つの主出力端子１１６と、少なくとも一つ、好ましくは２つ以上、さらに好ましくは３つの従出力端子１１７とからなる。
主出力端子１１６は、衛星放送用のパラボラアンテナからなり、映像・音声信号がＨＤ放送に準じてエンコードされた番組が出力される。
従出力端子１１７は、地上波デジタルテレビ放送用のアンテナ、若しくは広域通信網１３０用のコネクタからなり、映像・音声信号がＳＤ放送に準じてエンコードされた番組が出力される。
主出力端子１１６から出力されるＨＤ放送に係る映像・音声信号と、従出力端子１１７から出力されるＳＤ放送に係る映像・音声信号は同期されている。
これにより、ＨＤ放送による番組と同一内容のＳＤ放送による番組を同時に受信局１００へ送信することができる。
なお、本実施例では、従出力端子１１７から解像度や画質等が標準的なＳＤ放送に係る映像・音声信号が出力されるように構成したが、これに限定されるものではなく、地上波デジタルテレビ放送回線や、広域通信網１３０の容量に余裕があるのであれば、大容量のＨＤ放送を送信するようにしても良い。
【００５８】
通信衛星１２０は、送信局１１０と、受信局１００との間に配され、衛星電気通信回線を中継するために静止衛星軌道上に設置されている。そして、衛星電気通信回線は、送信局１１０と複数の受信局１００をつなぎ、送信局１１０から送信されるＨＤ放送による番組が、受信局１００で同時に受信可能となるように構成されている。
【００５９】
広域通信網１３０（以下「ＷＡＮ」という）は、受信局１００と送信局１１０とを接続する電気通信回線、いわゆるインターネット回線からなる。そして、受信局１００及び送信局１１０は、それぞれ固有の識別コードを有している。
また、地上デジタルテレビ放送の中継局１４０は、送信局１１０から送信された地上波デジタルテレビ放送を中継して受信局１００へ送信している。
【００６０】
上記の構成を有する放送システム１０００の使用方法を添付した図３にしたがって説明する。
送信局１１０は、センタサーバ１１１の外部記録媒体に記録保存されているマスターレコードによる番組から、放送送信装置１１２のエンコード部１１４でエンコードしてＨＤ放送による番組とＳＤ放送による番組を形成する。
ここで、ＨＤ放送の１チャンネルは、ＳＤ放送の３チャンネル分に相当する。したがって、ＨＤ放送１チャンネル分の帯域に、ＳＤ放送３チャンネル分の帯域を確保することができる。これにより、ＨＤ放送を２チャンネル送信する周波数帯域を使用して、一本のＨＤ放送による番組と、三本のＳＤ放送による番組を送信することができる。
【００６１】
ＨＤ放送による番組は、放送送信装置１１２の主出力端子１１６から衛星放送で受信局１００へ送信される。
対して、ＳＤ放送による番組は、放送送信装置１１２の従出力端子１１７から衛星放送以外の放送で受信局１００へ送信される。該衛星放送以外の放送は、本実施例においては、広域通信網１３０を介するストリーム配信と、好ましくは中継局１４０を経由する地上波デジタルテレビ放送である。
【００６２】
ＨＤ放送に係る映像・音声信号は、各受信局１００の放送受信装置１０が有する主入力端子１２ａに入力される。
ＳＤ放送に係る映像・音声信号は、各受信局１００の放送受信装置１０が有する従入力端子１２ｂに入力される。ここで、ＳＤ放送に係る映像・音声信号は、広域通信網１３０と地上波デジタルテレビ放送では、圧縮形式や変調方式が異なる。そのため、従出力端子１１７と対応するように形成された従入力端子１２ｂへそれぞれ入力される。
【００６３】
そして、衛星放送以外の放送のうち、広域通信網１３０を用いるＳＤ放送は、送信局１１０と受信局１００が固有の識別コードを有していることから、双方向通信によって配信されている。
当該双方向通信は次のように行われる。まず、送信局１１０は、ＳＤ放送による番組の配信を開始する旨の配信情報を各受信局１００へ送信する。該配信情報に対して各受信局１００は、送信局１１０へ該ＳＤ放送による番組の配信要求を応答する。そして、送信局１１０は、該配信要求に応答して各受信局１００へＳＤ放送による番組を送信する。
【００６４】
ここで、受信局１００は、配信要求に係る情報を送信局１１０へ応答する際に、該受信局１００が既に受信障害を受けている場合、当該受信障害に係る情報を配信要求に係る情報へ重畳して送信局１１０へ応答する。これにより、受信局１００はそれぞれ固有の識別コードを有していることから、受信障害に係る情報を含む配信要求によって、送信局１１０は現に受信障害を受けている受信局１００を容易に特定することができ、さらに送信局１１０は、受信障害を受けている受信局１００が設置されている広範な地域を特定することができる。
そのため、例えば、当該地域に設置されている他の受信局１００から、受信障害に係る情報が含まれた配信要求が返信されることを見越して、広域通信網１３０を用いてＳＤ放送に係る番組を配信する準備をしておくことや、送信局１１０から受信障害が発生している地域の受信局１００へ直接配信できない場合に、当該受信障害が発生している地域の付近に設置されている他の受信局１００からＳＤ放送に係る番組を転送するように、送信局１１０が他の受信局１００に対して命令を発することができる。
【００６５】
さらに、当該受信障害が発生している地域が広域に亘る場合、該受信障害地域に配置されている複数の受信局１００のうち、一の受信局１００に対して配信したＳＤ放送に係る番組を、他の受信局１００と共に共有する指令を送信局１１０から出すことができる。
これによって、送信局１１０と受信局１００が一対一で放送の配信を行うよりも広域通信網１３０を構成する回線の利用効率を上げることができる。
【００６６】
そして好ましくは、受信局１００が有する識別コードを非公開の識別コードとして暗号化すると共に、送信局１１０が受信局１００に対して送信するＳＤ放送を暗号化してスクランブル放送とし、該ＳＤ放送による番組に視聴制限をかけるようにすることができる。
この場合には、放送受信装置１０のエンコード部１７へ解読手段を設けて、ＳＤ放送に係る映像・音声信号をエンコードする際に、暗号化された当該映像・音声信号を解読するようにする。
これにより、視聴制限がかけられたＳＤ放送による番組を、特定の非公開識別コードを有する受信局１００のみしか視聴することができないので、他の受信局１００やインターネット回線を共有する他のパソコン等から特定受信局１００へ向けたＳＤ放送による番組がハッキングされることを防止することができる。
【００６７】
一方、衛星放送以外の放送のうち、地上波デジタルテレビ放送を用いるＳＤ放送に係る映像・音声信号は、送信局１１０から複数の受信局１００に向かって、必要ならば中継局１４０で中継されて、地上波デジタルテレビ放送に係る無線電気通信回線上を伝送する。当該無線電気通信回線に用いられる電波は、建造物や山肌等で多少乱反射することがあっても、ほとんどが雲の下を伝送する。そのため、降雨、降雪、或いは雲や雷等の悪天候によって無線通信回線上を伝送する信号が阻害されるおそれのある衛星放送に比べて、受信障害の影響を最小限に抑えることができる。
【００６８】
また、地上波デジタルテレビ放送を用いるＳＤ放送による番組は、ＨＤ放送による番組と比べて画質等は劣るものの、ＨＤ放送の１チャンネル分で、最大３チャンネルのＳＤ放送を送ることができる。そのため、放送送信装置１１２から送信される３チャンネルのＳＤ放送のうち、１チャンネル乃至２チャンネルを広域通信網１３０に割り振り、残りのチャンネルのＳＤ放送による番組を地上波デジタルテレビ回線に割り当てることができる。ＳＤ放送による同一内容の番組を、複数の伝送経路を用いて受信局１００へ送信することにより、ＨＤ放送による番組の欠損部分を補償するバックアップとして用いることができる。
【００６９】
受信局１００へ入力されたＨＤ放送とＳＤ放送は、以下に説明するように各端末５０へ配信され、又は外部記録媒体４０へ記録される。
衛星放送を用いたＨＤ放送に係る映像・音声信号は、放送受信装置１０の主入力端子１２ａに入力される。そして、ＨＤ放送による番組は、第１受信部１６ａでチャンネル毎に分割され、ＨＤ放送に係る映像・音声信号は第１エンコード部１７ａへ出力される。
第１エンコード部１７ａは、ＨＤ放送に係る映像・音声信号を標準的画質のＳＤ放送を構成する映像・音声信号へ変換すると共に、該ＳＤ放送に係る映像・音声信号を圧縮して主放送に係る映像・音声信号へエンコードする。
該主放送に係る映像・音声信号は、通常主回路１４側に接続状態が保持されている切替部２２を経由して、変調部２３で所定の出力形式に変調された後、出力部２４から各端末５０へ出力される。
主放送に係る映像・音声信号が伝送する主回路１４上に受信障害が発生していない場合、主放送に係る番組が優先的に各端末５０へ配信される。
また、出力部２４から各端末５０へ配信する際に、ＲＦ端子を介して出力することによって、各端末５０のテレビ５０ａの空きチャンネルを利用することができる。これにより、従来の回線を流用することができるので、設備投資を抑えることができる。
【００７０】
一方、衛星放送以外の放送を用いたＳＤ放送に係る映像・音声信号は、放送受信装置１０の従入力端子１２ｂに入力される。そして、ＳＤ放送による番組は第２受信部１６ｂへ送られてチャンネル毎に分割され、ＳＤ放送に係る映像・音声信号は第２エンコード部１７ｂへ出力される。
第２エンコード部１７ｂは、それぞれ異なる圧縮形式で受信したＳＤ放送に係る映像・音声信号を所定の圧縮形式にしたがって置換して、従放送に係る映像・音声信号へエンコードする。
従放送に係る映像・音声信号は、切替部２２が作動して主回路１４から従回路１５へ自動的に切り替わったとき、可及的に従放送による番組を変調部２３へ送信することができるようにスタンバイ状態に置かれている。
【００７１】
また好ましくは、従放送に係る映像・音声信号は、複数の電気通信回線上を伝送して入力されていることから、受信障害の発生に備えて、１チャンネル分を外部記録媒体４０へ順次記録するために割り当てても良い。この場合には、受信障害が発生したときには、外部記録媒体４０へ記録保存していた従放送に係る番組をバックアップとして、主放送による番組の欠損部分を補完する代替放送として、受信局１００内においてのみ利用することができる。
さらに、広域通信網１３０を用いた従放送による番組は、送信局１１０からＳＤ放送に係る映像・音声信号を受信しつつ、同時に端末５０で再生を行うストリーミング配信としてもよい。
さらにまた、広域通信網１３０から２チャンネル分の従放送を形成し、一のチャンネルでストリーミング配信をしつつ、他のチャンネルで外部記録媒体４０へダウンロードさせてバックアップを採るようにしても良い。
【００７２】
ここで、電気部品は、常に微小なノイズを発生する。通信系におけるアンテナは、例えば太陽や恒星からの無限遠とみなせる放射原からくる電磁界による宇宙雑音、空気中の雲等の摩擦や雷等による空電雑音といったノイズを検出する。例えばアナログ放送ではスノーノイズ、ゴースト、雑音といったノイズが、デジタル放送ではブラックノイズ、モスキートノイズ、白色点といったノイズが検出されている。当該ノイズを構成するノイズ信号はランダムな電圧の変化として検出される。
【００７３】
本実施例において、放送受信装置１０に設けた検知部１８は、主回路１４上のノイズを検出する第１検知部１８ａと、従回路１５上のノイズを検出する第２検知部１８ｂとからなる。該検知部１８は、入力された放送に係る映像・音声信号に重畳するノイズ信号を検知する。
【００７４】
主回路１４上を伝送するノイズ信号は、第１記録部１９ａで時系列順に第１データログ３０として記録されている。好ましくは、第１データログ３０は、ノイズ信号の大きさに関係なく、すべてのノイズ信号が記録されている。
第１データログ３０が漸次増加している場合には、第１予測部２０ａは、主回路１４上を伝送するノイズ信号が増加することによる受信障害が発生するおそれがあるとの予測をして、ノイズ信号を示す電圧の大きさが所定の閾値を超えるであろう時刻を第１予測時刻ログ３２として記録する。
【００７５】
第１判定部２１ａは、主回路１４上を伝送するノイズ信号の実測値である第１データログ３０を所定の閾値と比較判定し、ノイズ信号の大きさが所定の閾値を超えていたとき、切替信号３４を切替部２２へ送信する。該切替信号３４が切替部２２へ送信されると、切替部２２は可及的速やかに主回路１４から従回路１５へ自動的にスイッチ３６を切り替える。
また好ましくは、第１判定部２１ａは、主回路１４上を伝送する映像・音声信号を乱す受信障害が発生するものとした第１予測時刻ログ３２に記録された時刻となったとき、切替部２２が瞬時に主回路１４から従回路１５へ自動切替ができるように予備的にプレ切替信号３５を送信する。
【００７６】
従回路１５上を伝送するノイズ信号は、主回路１４上を伝送するノイズ信号と同様に、第２記録部１９ｂで時系列順に第２データログ３０として記録されている。好ましくは、第２データログ３１は、従入力端子１２ｂ毎にノイズ信号の大きさに関係なく、すべてのノイズ信号が記録されている。
従入力端子１２ｂ毎にノイズ信号の大きさを比較することにより、最もノイズが小さいＳＤ放送に係る映像・音声信号の発信源を第２受信部１６ｂに設けた選択手段で容易に選択することができる。
第２データログ３１が漸次増加している場合には、第２予測部２０ｂは、従回路１５上を伝送するノイズ信号が増加することによる受信障害が発生するおそれがあるとの予測をして、ノイズ信号を示す電圧の大きさが所定の閾値を超えるであろう時刻を第２予測時刻ログ３３として記録する。
【００７７】
第２判定部２１ｂは、第１データログに記録された主回路１４上のノイズ信号の実測値を閾値として、従回路１５上のノイズ信号の実測値である第２データログ３１と比較判定する。そして、第２データログ３１に記録されている従回路１５上を伝送するノイズ信号が、主回路１４上を伝送するノイズ信号よりも大きい場合には、切替信号３４を切替部２２に対して送信しないように第１判定部２１ａへ要求する信号が出力される。
これにより、主回路１４から従回路１５へ切り替えたとき、従放送による番組が視聴不可能になっていることを防ぐことができる。
また、第１判定部２１ａで第１データログ３０に記録されたノイズ信号が所定の閾値を超えると判定され、かつ、第２判定部２１ｂで第２データログ３１に記録されたノイズ信号の大きさが第１データログ３０に記録されたノイズ信号よりも大きいと判定されたとき、主回路１４と従回路１５へ混入したノイズが大きく、両回路１４，１５が共に受信障害の影響を受けいているものと判断される。
この場合には、外部記録媒体４０に記録されている代替映像が各端末５０に対して配信されるように切替部２２に対して緊急避難信号３６が送信される。これにより、各端末５０において視聴される番組が視聴不可能となることを防ぐことができる。
【００７８】
本実施例に記載の放送受信装置１０によれば、主放送による番組と同一内容の番組を従放送で同時に流すと共に、切替部２２のスイッチ３６による接続状態が優先的に保持される主回路１４と、該主回路１４上を伝送する映像・音声信号に大きなノイズ信号が重畳して、主放送による番組に看過できない受信障害が発生した際に使用される従回路１５とを、切替信号３４又はプレ切替信号３５で瞬時に起動するスイッチ３６で可及的速やかに切り替えるようにした。
これにより、曇りのとき、降雨・降雪時或いは台風等の天候不順下、または、違法電波等を受信して、放送に受信障害が発生した場合であっても、端末５０では放送を中断することなく連続して視聴することができる。
【００７９】
また、本実施例に記載の放送受信装置１０を有する放送システム１０００によれば、送信局１１０と受信局１００との間に、衛星放送に係る映像・音声信号が伝送する衛星電気通信回線と、衛星放送以外の放送に係る映像・音声信号が伝送する複数の電気通信回線を設けた。そして衛星放送で高品質なＨＤ放送による番組を放送し、衛星放送以外の放送で標準的品質のＳＤ放送による番組を放送するようにした。さらに、ＳＤ放送に係る映像・音声信号を複数の衛星放送以外の放送を担う電気通信回線で送信するようにした。
これにより、受信障害が複数の箇所で発生した場合であっても、互いに補完して受信局１００に設けた端末５０においては、放送を中断することなく連続して視聴することができる。
また、受信局１００においては、端末５０のＲＦ端子に接続するアンテナ線を利用することにより、従来のテレビ放送の空きチャンネルを利用して主放送及び従放送を流すことができるようにした。
これにより、本実施例に記載の放送受信装置１０を設置して配線する際の導入コストを抑えることができる。
【符号の説明】
【００８０】
１０…放送受信装置、１１…装置本体、１２…入力端子、１２ａ…主入力端子、１２ｂ…従入力端子、１３…出力端子、１４…主回路、１５…従回路、
１６…受信部、１６ａ…第１受信部、１６ｂ…第２受信部、
１７…エンコード部、１７ａ…第１エンコード部、１７ｂ…第２エンコード部、
１８…検知部、１８ａ…第１検知部、１８ｂ…第２検知部、
１９…記録部、１９ａ…第１記録部、１９ｂ…第２記録部
２０…予測部、２０ａ…第１予測部、２０ｂ…第２予測部、
２１…判定部、２１ａ…第１判定部、２１ｂ…第２判定部
２２…切替部、
２３…変調部、２４…配信部、
２５…出力回路、
２６…第１検知センサ、２７…第２検知センサ、
３０…第１データログ、３１…第２データログ、
３２…第１予測時刻ログ、３３…第２予測時刻ログ、
３４…切替信号、３５…プレ切替信号、
３６…スイッチ、
４０…外部記録媒体、
５０…端末、５０ａ…テレビ、５０ｂ…課金装置、
５１…テレビ回線、５２…ＬＡＮ回線、５３…分配器、
１００…受信局、
１１０…送信局、
１１１…センタサーバ、１１２…放送送信装置、
１１３…入力部、１１４…送信局のエンコード部、１１５…出力部、
１１６…主出力端子、１１７…従出力端子、
１２０…通信衛星、１３０…広域通信網、１４０…中継局、
１０００…放送システム。
【図１】
0005734644.tif 000002
【図２】
0005734644.tif 000003
【図３】
0005734644.tif 000004